(57)【要約】【課題】  患者に対して適切なナースコール子機を医療従事者が容易に選択することができるようにすることを目的とする。【解決手段】  入力部３により入力された患者状態情報と患者識別情報とを関連付けて患者状態情報記憶部４ａに記憶し、複数の種類のナースコール子機を示す子機情報と呼び出し方法を示す呼び出し方法識別情報とを関連付けて子機情報記憶部４ｂに記憶する。また、患者状態情報の所定の項目と呼び出し方法識別情報とを関連付けて呼び出し方法記憶部４ｃに記憶する。判定部５は、患者状態情報の所定の項目に関連付けて記憶されている呼び出し方法識別情報を取得し、取得した呼び出し方法識別情報に関連付けて記憶されている子機情報を取得する。制御部２は、子機情報により特定されるナースコール子機を患者に適したものとして提示部６に提示するようにしている。【選択図】        図１
2009033695.tif 000002
【特許請求の範囲】
【請求項１】
入院している患者の状態を示す患者状態情報を入力する入力部と、
前記患者状態情報と前記患者を識別する患者識別情報とを関連付けて記憶する患者状態情報記憶部と、
複数の種類のナースコール子機をそれぞれ示す子機情報と前記ナースコール子機の呼び出し方法を示す呼び出し方法識別情報とを関連付けて記憶する子機情報記憶部と、
前記患者状態情報の所定の項目と前記呼び出し方法識別情報とを関連付けて記憶する呼び出し方法記憶部と、
前記入力部により前記患者状態情報が入力された場合に、前記患者状態情報の所定の項目に関連付けて記憶されている呼び出し方法識別情報を前記呼び出し方法記憶部から取得し、取得した前記呼び出し方法識別情報に関連付けて記憶されている子機情報を前記子機情報記憶部から取得する判定部と、
前記患者状態情報に関連付けて前記患者状態情報記憶部に記憶されている患者識別情報により特定される前記患者に適したナースコール子機として前記子機情報に該当するナースコール子機を提示する提示部と、
を備えた看護支援システム。
【請求項２】
前記子機情報記憶部は、前記子機情報と前記呼び出し方法識別情報と前記ナースコール子機の設置位置を示す子機設置位置情報とを関連付けて記憶しており、
前記判定部は、前記入力部により前記患者状態情報が入力された場合に取得された呼び出し方法識別情報に関連付けて記憶されている子機設置位置情報を前記子機情報記憶部から取得し、
前記提示部は、前記子機設置位置情報に該当するナースコール子機の設置位置を前記ナースコール子機とともに提示することを特徴とする請求項１に記載の看護支援システム。
【請求項３】
複数の呼び出し方法を切り替え信号により切り替えるナースコール子機を接続する看護支援システムであって、
入院している患者の状態を示す患者状態情報を入力する入力部と、
前記患者状態情報と前記患者を識別する患者識別情報とを関連付けて記憶する患者状態情報記憶部と、
前記切り替え信号と複数の種類のナースコール子機の呼び出し方法を識別する呼び出し方法識別情報とを関連付けて記憶する切り替え信号記憶部と、
前記患者状態情報の所定の項目と前記呼び出し方法識別情報とを関連付けて記憶する呼び出し方法記憶部と、
前記入力部により前記患者状態情報が入力された場合に、前記患者状態情報の所定の項目に関連付けて記憶されている呼び出し方法識別情報を前記呼び出し方法記憶部から取得し、取得した前記呼び出し方法識別情報に関連付けて記憶されている切り替え信号を前記切り替え信号記憶部から取得して、前記患者状態情報に関連付けて前記患者状態情報記憶部に記憶されている患者識別情報により特定される前記患者に適した呼び出し方法を示す前記切り替え信号を前記ナースコール子機に出力する呼び出し方法設定部と、
を備えた看護支援システム。
【発明の詳細な説明】
【技術分野】
【０００１】
本発明は、入院患者に対して看護師により適切な看護を行うための看護支援システムに関する。
【背景技術】
【０００２】
従来、看護行為を管理するためのシステムは、パーソナルコンピュータ（以下、ＰＣと記載する）やＰＤＡ（Personal Digital Assistants）などで構成される。それらは、有線や無線のＬＡＮ（Local Area
Network）などによって接続される。例えば、看護師は、情報処理端末装置としてＰＤＡを携帯し、作業予定となっている点滴や注射などの作業予定リストを参照して、患者に対する看護行為を実施する。さらに、看護行為の実施後、看護師はＰＤＡに実施結果を入力する。そして、このように入力された実施結果は、ＰＣに送信されて記憶される。
【０００３】
なお、ＰＣには、看護行為の実施結果だけではなく、患者の状態を示す情報も記憶されている。ここで、患者の状態を示す情報としては、看護必要度などが使用される。
【０００４】
ところで、病院に入院している患者が、看護師などの医療従事者を呼び出すためのナースコールシステムが知られている。このナースコールシステムは、病室内の患者の近辺（例えば、ベッド近傍など）に設置されたナースコール子機および医療従事者が在室しているナースセンターなどに設置されたナースコール親機を有線や無線などにより接続している。また、ナースコール子機およびナースコール親機は、廊下灯や制御機などを介して接続されている。
【０００５】
ナースコール子機としては、握り押しボタン式子機やハンド形子機等がある。握り押しボタン式子機は、呼び出しボタンの押下により医療従事者を呼び出すものであり通話機能を持っていない。また、ハンド形子機は、呼び出しボタンに加え、マイク、スピーカを内蔵しており通話機能を持っている。
【０００６】
また、呼び出しボタンを押下することができないような状態の患者に対して、患者からの吐息や声により呼び出しを行うための呼気式ナースコール子機が知られている（例えば、特許文献１など）。
【特許文献１】実開昭６１−４２６９０号公報
【０００７】
また、患者が身体の何れかの部位を接触させることで呼び出しを行うための接触式ナースコール子機も知られている。さらに、これらの機能を切り替え可能に備えたナースコール子機も知られている（例えば、特許文献２など）。
【特許文献２】特開２００５−１５２０４７号公報
【０００８】
ところで、入院している患者の状態は、治療や病気の進行などにより変化することがある。そのため、身体を動かすことができず、吐息により呼び出しを行う呼気式ナースコール子機しか使用できなかった患者の状態が回復して、その患者が押しボタン式子機を使用できるようになったり、押しボタン式子機を使用できていた患者の容態が悪化して、その患者が接触式ナースコール子機しか使用できなくなったりするケースがあった。
【０００９】
しかしながら、医療従事者が患者の状態の変化に応じて特許文献１などに示す従来のナースコール子機の中から適切なものを選択するためには、医療従事者は、患者に関する様々な条件を確認したり、ナースコール子機を実際に設置してみたりしなければならず、非常に面倒であった。また、特許文献２などに示す複数の機能を併せ持つナースコール子機であっても、医療従事者は、どの機能を使用するのかを選択しなければならず、非常に面倒であった。また、新しく入院した患者に対しても適切なナースコール子機を選択することは困難であった。また、医療従事者が適切なナースコール子機や機能を選択しなかった場合には、患者は、ナースコール子機により呼び出しを行うことが困難となってしまうという問題があった。
【発明の開示】
【発明が解決しようとする課題】
【００１０】
本発明は、このような問題を解決するために成されたものであり、患者の状態の変化や新しく入院した患者に対して適切なナースコール子機または適切なナースコール子機の機能を医療従事者が容易に選択することができるようにすることを目的とする。
【課題を解決するための手段】
【００１１】
上述した課題を解決するために、本発明では、患者の状態を示す患者状態情報を入力し、患者状態情報と患者識別情報とを関連付け、複数の種類のナースコール子機をそれぞれ示す子機情報とナースコール子機の呼び出し方法を示す呼び出し方法識別情報とを関連付けて、患者状態情報の所定の項目と呼び出し方法識別情報とを関連付けて記憶する。そして、患者状態情報が入力された場合に、患者状態情報の所定の項目に関連付けて記憶されている呼び出し方法識別情報を取得し、取得した呼び出し方法識別情報に関連付けて記憶されている子機情報により特定されるナースコール子機を患者に適したものとして提示するようにしている。
【００１２】
また、本発明の他の態様によれば、複数の呼び出し方法を切り替え信号により切り替えるナースコール子機を接続しており、患者の状態を示す患者状態情報を入力し、患者状態情報を患者識別情報に関連付け、切り替え信号を複数の種類のナースコール子機の呼び出し方法を識別する呼び出し方法識別情報に関連付けて、患者状態情報の所定の項目と呼び出し方法識別情報とを関連付けて記憶する。そして、患者状態情報が入力された場合に、患者状態情報の所定の項目に関連付けて記憶されている呼び出し方法識別情報を取得し、取得した呼び出し方法識別情報に関連付けて記憶されている切り替え信号を取得して、患者状態情報に関連付けて記憶されている患者識別情報により特定される患者に使用されているナースコール子機に出力するようにしている。
【発明の効果】
【００１３】
上記のように構成した本発明によれば、状態が変化した患者や新しく入院した患者に対して適切な呼び出し方法のナースコール子機が提示されるので、医療従事者は、患者に関する様々な条件を確認したり、ナースコール子機を実際に設置してみたりすることなく、適切な呼び出し方法のナースコール子機を容易に選択することができる。これにより医療従事者の手間を省くことができる。また、適切なナースコール子機が選択されるので、そのナースコール子機を使用する患者は、容易にナースコール子機を使用することができる。
【００１４】
また、本発明の他の態様によれば、状態が変化した患者や新しく入院した患者に対して、複数の呼び出し方法を併せ持つナースコール子機にて適切な呼び出し方法が自動的に選択されるので、医療従事者は、患者に関する様々な条件を確認したり、ナースコール子機を実際に設置してみたりすることなく、適切な呼び出し方法を容易に選択することができる。これにより、医療従事者の手間を省くことができる。また、適切なナースコール子機が選択されるので、そのナースコール子機を使用する患者は、容易にナースコール子機を使用することができる。
【発明を実施するための最良の形態】
【００１５】
以下、本発明の一実施形態を図面に基づいて説明する。図１は、本実施形態による看護支援システム１の構成例を示すブロック図である。図１に示すように、本実施形態による看護支援システム１は、制御部２．入力部３、記憶部４、判定部５、提示部６を備えて構成されている。また、記憶部４は、患者状態情報記憶部４ａ、子機情報記憶部４ｂ、呼び出し方法記憶部４ｃを備えて構成されている。
【００１６】
制御部２は、本実施形態による看護支援システム１の各構成要素を後述するように制御する。入力部３は、入院している患者に対して患者の状態を示す患者状態情報を入力するためのものである。ここで、入力部３は、本実施形態による看護支援システム１をパーソナルコンピュータにより実現した場合には、キーボードやマウス、タッチパネルなどの入力デバイスが該当する。また、患者状態情報としては、図２に示すような「重症度・看護必要度」の項目を使用している。「重症度・看護必要度」の各項目は、患者の入院時だけではなく、定期的（例えば、１回／日）に入力されるので、常に患者の最新の状態が反映されている。なお、本実施形態では、患者状態情報として、「重症度・看護必要度」を使用しているが、これに限定されない。例えば、「看護必要度」や「看護度」を使用するようにしても良い。
【００１７】
患者状態情報記憶部４ａは、入力部３により入力された患者状態情報を患者識別情報に関連付けて記憶する。ここで、患者識別情報は、患者の氏名や患者を識別するための患者ＩＤなどである。また、患者識別情報は、患者が入退院した場合に更新される。
【００１８】
子機情報記憶部４ｂは、ナースコール子機を示す子機情報とナースコール子機の呼び出し方法を示す呼び出し方法識別情報とを関連付けて記憶する。ここで、ナースコール子機は、病院が所有するナースコール子機のみであっても良いし、病院が未所有であるものの病院がナースコールメーカーより購入可能なナースコール子機を含むようにしても良い。また、子機情報は、各ナースコール子機に固有の識別情報であっても良いし、同じ種類（例えば、型番などが同一であるなど）のナースコール子機に共通の識別情報であっても良い。
【００１９】
また、呼び出し方法識別情報としては、ナースコール子機の呼び出し方法を示すもので、例えば、押ボタンを押す方法による「押ボタン式ナースコール子機」、所定の部位にタッチする方法による「タッチ式ナースコール子機」、所定の部位に手をかざす方法による「手かざし式ナースコール子機」、所定の部位に息を吹きかける方法による「呼気式ナースコール子機」、音声を入力する方法による「音声式ナースコール子機」、ベッド上の圧力の有無により呼び出しを行う「マットセンサー」などがある。ここで、「押ボタン式ナースコール子機」は、握り押しボタン式子機およびハンド形子機を総称したものである。
【００２０】
呼び出し方法記憶部４ｃは、患者状態情報、即ち「重症度・看護必要度」の所定の項目と呼び出し方法識別情報とを関連付けて記憶する。ここで、所定の項目とは、「重症度・看護必要度」の全ての項目のうち、患者がナースコール子機を使用する際に影響するであろう項目を指す。例えば、「呼吸ケア」の項目や「人工呼吸器の装着」の項目が共に「あり」である場合には、患者は、「呼気式ナースコール子機」および「音声式ナースコール子機」を使用することができない。このような状態で、「どちらかの手を胸元まで持ち上げられる」の項目が「できる」である場合には、患者は、「押ボタン式ナースコール子機」、「タッチ式ナースコール子機」、「手かざし式ナースコール子機」を使用することができる。
【００２１】
判定部５は、入力部３により入力された患者状態情報、即ち「重症度・看護必要度」の所定の項目に基づいて、「重症度・看護必要度」の所定の項目に関連付けて呼び出し方法記憶部４ｃに記憶されている呼び出し方法識別情報を特定する。また、判定部５は、特定された呼び出し方法識別情報に関連付けて子機情報記憶部４ｂに記憶されている子機情報を取得する。
【００２２】
具体的には、制御部２は、入力部３により「重症度・看護必要度」が入力された場合に、判定部５を動作させる。判定部５は、「重症度・看護必要度」の所定の項目に関連付けて記憶されている呼び出し方法識別情報を呼び出し方法記憶部４ｃから取得する。そして、判定部５は、取得された呼び出し方法識別情報に関連付けて記憶されている子機情報を子機情報記憶部４ｂから取得する。すると、制御部２は、判定部５から子機情報を入力し、入力部３により入力された患者状態情報に関連付けて記憶されている患者識別情報を患者状態情報記憶部４ａから取得し、患者識別情報と子機情報とを出力する。
【００２３】
提示部６は、患者識別情報と子機情報とを制御部２から入力し、患者識別情報（例えば、患者名など）とともに子機情報（ナースコール子機の種別や型番など）を提示する。ここで、提示部６は、表示ディスプレイなどにより構成されている。このように、提示部６には、「重症度・看護必要度」を入力した患者に適したナースコール子機が提示される。
【００２４】
具体的には、図３（ａ）に示すように、「重症度・看護必要度」の所定の項目である「呼吸ケア」および「人工呼吸器の装着」の各項目がともに「あり」で、「どちらかの手を胸元まで持ち上げられる」の項目が「できる」である場合、提示部６の表示画面に患者が使用可能なナースコール子機として、「押ボタン式ナースコール子機」、「タッチ式ナースコール子機」、「手かざし式ナースコール子機」を明るく目立つように表示し、「呼気式ナースコール子機」、「音声式ナースコール子機」、「マットセンサー」を暗く目立たないように表示する。
【００２５】
また、図３（ｂ）に示すように、「重症度・看護必要度」の所定の項目である「呼吸ケア」および「人工呼吸器の装着」の各項目がともに「なし」で、「どちらかの手を胸元まで持ち上げられる」の項目が「できない」である場合、提示部６の表示画面に患者が使用可能なナースコール子機として、「押ボタン式ナースコール子機」、「呼気式ナースコール子機」、「音声式ナースコール子機」を明るく目立つように表示し、「タッチ式ナースコール子機」、「手かざし式ナースコール子機」、「マットセンサー」を暗く目立たないように表示する。
【００２６】
また、図４（ａ）に示すように、「重症度・看護必要度」の所定の項目である「呼吸ケア」および「人工呼吸器の装着」の各項目がともに「なし」で、「床上安静の指示」の項目が「あり」、「どちらかの手を胸元まで持ち上げられる」の項目が「できる」、「移乗（動くことができること）」の項目が「できる」である場合、提示部６の表示画面に患者が使用可能なナースコール子機として、「押ボタン式ナースコール子機」、「呼気式ナースコール子機」、「音声式ナースコール子機」、「タッチ式ナースコール子機」、「手かざし式ナースコール子機」、「マットセンサー」のすべてを明るく目立つように表示する。
【００２７】
一方、図４（ｂ）に示すように、「重症度・看護必要度」の所定の項目である「他者への意志の伝達」の項目が「できない」である場合、提示部６の表示画面に患者が使用可能なナースコール子機として、「押ボタン式ナースコール子機」、「呼気式ナースコール子機」、「音声式ナースコール子機」、「タッチ式ナースコール子機」、「手かざし式ナースコール子機」を暗く目立たないように表示し、「マットセンサー」を明るく目立つように表示する。
【００２８】
以上詳しく説明したように、本実施形態によれば、入力部３により入力された患者状態情報と患者識別情報とを関連付けて患者状態情報記憶部４ａに記憶し、複数の種類のナースコール子機をそれぞれ示す子機情報とナースコール子機の呼び出し方法を示す呼び出し方法識別情報とを関連付けて子機情報記憶部４ｂに記憶する。また、患者状態情報の所定の項目と呼び出し方法識別情報とを関連付けて呼び出し方法記憶部４ｃに記憶する。そして、入力部３により患者状態情報が入力された場合に、判定部５は、患者状態情報の所定の項目に関連付けて記憶されている呼び出し方法識別情報を取得し、取得した呼び出し方法識別情報に関連付けて記憶されている子機情報を取得する。制御部２は、子機情報により特定されるナースコール子機を患者に適したものとして提示部６に提示するようにしている。
【００２９】
これにより、状態が変化した患者や新しく入院した患者に対して適切な呼び出し方法のナースコール子機が提示されるので、医療従事者は、患者に関する様々な条件を確認したり、ナースコール子機を実際に設置してみたりすることなく、適切な呼び出し方法のナースコール子機を容易に選択することができる。これにより医療従事者の手間を省くことができる。
【００３０】
なお、前述した実施形態では、患者の状態に適した呼び出し方法のナースコール子機を提示部６に提示するようにしているが、これに限定されない。例えば、複数の呼び出し方法を併せ持つナースコール子機にて適切な呼び出し方法が自動的に選択されるうにしても良い。
【００３１】
具体的には、図５に示すように、複数の呼び出し方法を併せ持ち、それらの呼び出し方法を選択可能とするナースコール子機１５を看護支援システム１０に接続している。図５は、本実施形態による看護支援システム１０の変形例を示すブロック図である。図５に示すように、本実施形態による看護支援システム１０は、制御部１１．入力部１２、記憶部１３、呼び出し方法設定部１４を備えて構成されている。また、記憶部１３は、患者状態情報記憶部１３ａ、切り替え信号記憶部１３ｂ、呼び出し方法記憶部１３ｃを備えて構成されている。
【００３２】
制御部１１は、看護支援システム１０の各構成要素を後述するように制御する。入力部１２は、入院している患者に対して患者の状態を示す患者状態情報を入力するためのものである。ここで、患者状態情報としては、前述したような「重症度・看護必要度」の項目を使用している。
【００３３】
患者状態情報記憶部１３ａは、入力部１２により入力された患者状態情報を患者識別情報に関連付けて記憶する。切り替え信号記憶部１３ｂは、ナースコール子機１５の呼び出し方法を示す呼び出し方法識別情報とこれらの呼び出し方法を切り替えるための切り替え信号とを関連付けて記憶する。呼び出し方法記憶部１３ｃは、患者状態情報、即ち「重症度・看護必要度」の所定の項目と呼び出し方法識別情報とを関連付けて記憶する。
【００３４】
呼び出し方法設定部１４は、入力部１２により入力された患者状態情報、即ち「重症度・看護必要度」の所定の項目に基づいて、「重症度・看護必要度」の所定の項目に関連付けて呼び出し方法記憶部１３ｃに記憶されている呼び出し方法識別情報を特定する。また、呼び出し方法設定部１４は、特定された呼び出し方法識別情報に関連付けて切り替え信号記憶部１３ｂに記憶されている切り替え信号を取得する。
【００３５】
具体的には、制御部１１は、入力部１２により「重症度・看護必要度」が入力された場合に、呼び出し方法設定部１４を動作させる。呼び出し方法設定部１４は、「重症度・看護必要度」の所定の項目に関連付けて記憶されている呼び出し方法識別情報を呼び出し方法記憶部１３ｃから取得する。そして、呼び出し方法設定部１４は、取得された呼び出し方法識別情報に関連付けて記憶されている切り替え信号を切り替え信号記憶部１３ｂから取得する。また、呼び出し方法設定部１４は、取得した切り替え信号をナースコール子機１５に出力する。
【００３６】
ナースコール子機１５は、看護支援システム１０の呼び出し方法設定部１４から切り替え信号を入力し、その切り替え信号により呼び出し方法を切り替える。ここで、呼び出し方法識別情報に関連付けて記憶されている切り替え信号が一つである場合には、その切り替え信号に基づいて呼び出し方法を決定すれば良い。また、呼び出し方法識別情報に関連付けて記憶されている切り替え信号が二つ以上である場合には、代表的な切り替え信号を選択するようにしても良いし、医療従事者が選択可能に別途用意した表示ディスプレイなどに複数の呼び出し方法を選択可能に提示するようにしても良い。また、ナースコール子機の使用状況（未使用のナースコール子機があるか否かなど）に応じて切り替え信号を選択するようにしても良い。
【００３７】
また、前述した実施形態では、提示部６は、患者識別情報と子機情報とを制御部２から入力して、患者識別情報とともに子機情報を提示しているが、これに限定されない。例えば、別途設けた子機選択ボタンを押下した場合に、患者に適したナースコール子機を提示するようにしても良い。
【００３８】
また、前述した実施形態では、提示部６は、患者に適したナースコール子機のみを提示しているが、これに限定されない。例えば、ナースコール子機とともに、そのナースコール子機の設置位置を提示するようにしても良い。これにより、医療従事者は、ナースコール子機を適切な位置に設置することができるようになり、患者は、ナースコール子機をより使い易くなる。
【００３９】
具体的には、子機情報記憶部４ｂは、子機情報と呼び出し方法識別情報とを関連付けて記憶しているのに加え、ナースコール子機の設置位置を示す子機設置位置情報を関連付けて記憶している。判定部２は、入力部３により患者状態情報が入力された場合に、呼び出し方法記憶部から呼び出し方法識別情報を取得する。そして、判定部２は、取得した呼び出し方法識別情報に関連付けて記憶されている子機情報および子機設置位置情報を子機情報記憶部４ｂから取得する。提示部６は、子機情報に該当するナースコール子機を提示するとともに、子機設置位置情報に該当する前述したナースコール子機の適切な設置位置を提示する。
【００４０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４１】
【図１】本実施形態による看護支援システムの構成例を示すブロック図である。
【図２】本実施形態による看護支援システムにおいて使用される「重症度・看護必要度」基準の項目を示す図である。
【図３】本実施形態による看護支援システムにおける看護必要度の所定の項目および患者に適したナースコール子機の例を示す図である。
【図４】本実施形態による看護支援システムにおける看護必要度の所定の項目および患者に適したナースコール子機の他の例を示す図である。
【図５】本実施形態による看護支援システムの変形例を示すブロック図である。
【符号の説明】
【００４２】
１，１０    看護支援システム
２，１１    制御部
３，１２    入力部
４，１３    記憶部
４ａ，１３ａ    患者状態情報記憶部
４ｂ    子機情報記憶部
４ｃ，１３ｃ    呼び出し方法記憶部
５    判定部
６    提示部
１３ｂ    切り替え信号記憶部
１４    呼び出し方法設定部
１５    ナースコール子機
【図１】
2009033695.tif 000003
【図２】
2009033695.tif 000004
【図３】
2009033695.tif 000005
【図４】
2009033695.tif 000006
【図５】
2009033695.tif 000007